【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
抽選される役の種類と、各役の当選確率とを定めた役抽選テーブルと、
前記役抽選テーブルを用いて役の抽選を行う役抽選手段と、
前記役抽選手段による役の抽選結果に基づいて前記リールを停止させるように制御するリール制御手段と
を備えるスロットマシンであって、
前記役抽選テーブルで抽選される役として、
遊技者にとって有利となる特別遊技に移行するための特別役と、
遊技者に再遊技を行わせるための再遊技役とを有し、
前記再遊技役は、図柄の組合せが異なる第１再遊技役と第２再遊技役とを有し、
前記役抽選手段で前記特別役に当選したときに、当選した前記特別役に対応する図柄の組合せが停止するまで、その特別役の当選を次遊技以降に持ち越すように制御する特別役当選持越し手段を備え、
前記役抽選テーブルは、
前記特別役及び前記第２再遊技役の重複当選領域、前記第１再遊技役の当選領域、並びに前記特別役と重複当選しない前記第２再遊技役の当選領域を有する第１役抽選テーブルと、
前記再遊技役の当選確率が前記第１役抽選テーブルより高く設定された第２役抽選テーブル及び第３役抽選テーブルとを備え、
前記リール制御手段は、前記特別役及び前記第２再遊技役に重複当選したときは、前記特別役に対応する図柄の組合せを停止させないようにするとともに、前記第２再遊技役に対応する図柄の組合せを停止させるように制御し、
前記第１役抽選テーブルが用いられている遊技中に前記特別役及び前記第２再遊技役に重複当選し、前記第２再遊技役に対応する図柄の組合せが停止したときは、次遊技から、当選した前記特別役を持ち越しつつ前記第２役抽選テーブルを用いるＲＴ遊技に移行し、
前記リール制御手段は、前記特別役と重複当選しない前記第２再遊技役に当選したときは、前記第２再遊技役に対応する図柄の組合せを停止させるように制御し、
前記第１役抽選テーブルが用いられている遊技中に前記特別役と重複当選しない前記第２再遊技役に当選し、前記第２再遊技役に対応する図柄の組合せが停止したときは、次遊技から、前記第３役抽選テーブルを用いるＲＴ遊技に移行し、
前記第２役抽選テーブルを用いるＲＴ遊技は、前記特別役に対応する図柄の組合せが停止することにより終了し、
前記第３役抽選テーブルを用いるＲＴ遊技は、予め定められた所定遊技回数を消化することにより終了し、
前記第２役抽選テーブルの前記第２再遊技役の当選確率と、前記第３役抽選テーブルの前記第２再遊技役の当選確率とは、異なる確率に設定されており、
前記リール制御手段は、前記第２役抽選テーブルを用いるＲＴ遊技で前記第２再遊技役に当選したときは、当選を持ち越している前記特別役に対応する図柄の組合せを停止させないようにするとともに、前記第２再遊技役に対応する図柄の組合せを停止させるように制御することにより、
ＲＴ遊技では、前記特別役の当選を持ち越しているか否かによって前記第２再遊技役に対応する図柄の組合せが表示される頻度が異なるようにした
ことを特徴とするスロットマシン。
【請求項２】
複数種類の図柄を表示した複数のリールと、
抽選される役の種類と、各役の当選確率とを定めた役抽選テーブルと、
前記役抽選テーブルを用いて役の抽選を行う役抽選手段と、
前記役抽選手段による役の抽選結果に基づいて前記リールを停止させるように制御するリール制御手段と
を備えるスロットマシンであって、
前記役抽選テーブルで抽選される役として、
遊技者にとって有利となる特別遊技に移行するための特別役と、
遊技者に再遊技を行わせるための再遊技役とを有し、
前記再遊技役は、それぞれ図柄の組合せが異なる第１再遊技役、第２再遊技役、及び第３再遊技役を有し、
前記役抽選手段で前記特別役に当選したときに、当選した前記特別役に対応する図柄の組合せが停止するまで、その特別役の当選を次遊技以降に持ち越すように制御する特別役当選持越し手段を備え、
前記役抽選テーブルは、
前記特別役及び前記第２再遊技役の重複当選領域、前記第１再遊技役の当選領域、並びに前記特別役と重複当選しない前記第２再遊技役の当選領域を有する第１役抽選テーブルと、
前記再遊技役の当選確率が前記第１役抽選テーブルより高く設定された第２役抽選テーブル及び第３役抽選テーブルとを備え、
前記リール制御手段は、前記特別役及び前記第２再遊技役に重複当選したときは、前記特別役に対応する図柄の組合せを停止させないようにするとともに、前記第２再遊技役に対応する図柄の組合せを停止させるように制御し、
前記第１役抽選テーブルが用いられている遊技中に前記特別役及び前記第２再遊技役に重複当選し、前記第２再遊技役に対応する図柄の組合せが停止したときは、次遊技から、当選した前記特別役を持ち越しつつ前記第２役抽選テーブルを用いるＲＴ遊技に移行し、
前記リール制御手段は、前記特別役と重複当選しない前記第２再遊技役に当選したときは、前記第２再遊技役に対応する図柄の組合せを停止させるように制御し、
前記第１役抽選テーブルが用いられている遊技中に前記特別役と重複当選しない前記第２再遊技役に当選し、前記第２再遊技役に対応する図柄の組合せが停止したときは、次遊技から、前記第３役抽選テーブルを用いるＲＴ遊技に移行し、
前記第２役抽選テーブルを用いるＲＴ遊技は、前記特別役に対応する図柄の組合せが停止することにより終了し、
前記第３役抽選テーブルを用いるＲＴ遊技は、予め定められた所定遊技回数を消化することにより終了し、
前記第２役抽選テーブルの前記第３再遊技役の当選確率と、前記第３役抽選テーブルの前記第３再遊技役の当選確率とは、異なる確率に設定されており、
前記リール制御手段は、前記第２役抽選テーブルを用いるＲＴ遊技で前記第３再遊技役に当選したときは、当選を持ち越している前記特別役に対応する図柄の組合せを停止させないようにするとともに、前記第３再遊技役に対応する図柄の組合せを停止させるように制御することにより、
ＲＴ遊技では、前記特別役の当選を持ち越しているか否かによって前記第３再遊技役に対応する図柄の組合せが表示される頻度が異なるようにした
ことを特徴とするスロットマシン。
【請求項３】
請求項１又は請求項２に記載のスロットマシンにおいて、
前記第２役抽選テーブルを用いるＲＴ遊技では、前記第３役抽選テーブルを用いるＲＴ遊技よりも、前記特別役の当選信頼度が高いことを意味する演出が出力されやすいように制御する演出制御手段を備える
ことを特徴とするスロットマシン。
【請求項４】
請求項１から請求項３までのいずれか１項に記載のスロットマシンにおいて、
前記第２役抽選テーブルを用いるＲＴ遊技において、遊技回数が前記所定遊技回数となったことを条件として前記特別役に当選している旨の演出を出力するとともに、前記第３役抽選テーブルを用いるＲＴ遊技において、遊技回数が前記所定遊技回数となったことを条件として前記特別役に当選していない旨の演出を出力するように制御する演出制御手段を備える
ことを特徴とするスロットマシン。
【請求項５】
請求項１から請求項４までのいずれか１項に記載のスロットマシンにおいて、
前記特別役は、第１特別役及び第２特別役を有し、
前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、
前記第１役抽選テーブルは、前記第１特別役及び前記第２再遊技役の重複当選領域、並びに前記第２特別役及び前記第２再遊技役の重複当選領域を有する
ことを特徴とするスロットマシン。
【請求項６】
請求項５に記載のスロットマシンにおいて、
前記第２役抽選テーブルは、
前記第１特別役及び前記第２再遊技役に重複当選したときに次遊技から用いられる第２役抽選テーブルＡと、
前記第２特別役及び前記第２再遊技役に重複当選したときに次遊技から用いられる第２役抽選テーブルＢとを有する
ことを特徴とするスロットマシン。
【請求項７】
請求項１、又は請求項１を引用する請求項３若しくは請求項４に記載のスロットマシンにおいて、
前記特別役は、第１特別役及び第２特別役を有し、
前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、
前記第１役抽選テーブルは、前記第１特別役及び前記第２再遊技役の重複当選領域、並びに前記第２特別役及び前記第２再遊技役の重複当選領域を有し、
前記第２役抽選テーブルは、
前記第１特別役及び前記第２再遊技役に重複当選したときに次遊技から用いられる第２役抽選テーブルＡと、
前記第２特別役及び前記第２再遊技役に重複当選したときに次遊技から用いられる第２役抽選テーブルＢとを有し、
前記第２役抽選テーブルＡの前記第２再遊技役の当選確率と、前記第２役抽選テーブルＢの前記第２再遊技役の当選確率とは、異なるように設定されている
ことを特徴とするスロットマシン。
【請求項８】
請求項２、又は請求項２を引用する請求項３若しくは請求項４に記載のスロットマシンにおいて、
前記特別役は、第１特別役及び第２特別役を有し、
前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、
前記第１役抽選テーブルは、前記第１特別役及び前記第２再遊技役の重複当選領域、並びに前記第２特別役及び前記第２再遊技役の重複当選領域を有し、
前記第２役抽選テーブルは、
前記第１特別役及び前記第２再遊技役に重複当選したときに次遊技から用いられる第２役抽選テーブルＡと、
前記第２特別役及び前記第２再遊技役に重複当選したときに次遊技から用いられる第２役抽選テーブルＢとを有し、
前記第２役抽選テーブルＡの前記第３再遊技役の当選確率と、前記第２役抽選テーブルＢの前記第３再遊技役の当選確率とは、異なるように設定されている
ことを特徴とするスロットマシン。
【請求項９】
請求項３又は請求項４を引用する請求項６、請求項７又は請求項８に記載のスロットマシンにおいて、
前記演出制御手段は、
ＲＴ遊技中に出力する前記特別役の当選信頼度を示す演出として、
前記特別役に当選している可能性が高いことを意味する演出Ａと、
前記特別役に当選している可能性が中程度であることを意味する演出Ｂと、
前記特別役に当選している可能性が低いことを意味する演出Ｃとを備え、
前記第２役抽選テーブルＡを選択時には演出Ａの選択割合が最も高く、
前記第２役抽選テーブルＢを選択時には演出Ｂの選択割合が最も高く、
前記第３役抽選テーブルを選択時には演出Ｃの選択割合が最も高く設定されている
ことを特徴とするスロットマシン。
【手続補正２】
【補正対象書類名】明細書
【補正対象項目名】０００８
【補正方法】変更
【補正の内容】
【０００８】
本発明は、以下の解決手段によって、上述の課題を解決する。
請求項１の発明は、複数種類の図柄を表示した複数のリールと、抽選される役の種類と、各役の当選確率とを定めた役抽選テーブルと、前記役抽選テーブルを用いて役の抽選を行う役抽選手段と、前記役抽選手段による役の抽選結果に基づいて前記リールを停止させるように制御するリール制御手段とを備えるスロットマシンであって、前記役抽選テーブルで抽選される役として、遊技者にとって有利となる特別遊技に移行するための特別役と、遊技者に再遊技を行わせるための再遊技役とを有し、前記再遊技役は、図柄の組合せが異なる第１再遊技役と第２再遊技役とを有し、前記役抽選手段で前記特別役に当選したときに、当選した前記特別役に対応する図柄の組合せが停止するまで、その特別役の当選を次遊技以降に持ち越すように制御する特別役当選持越し手段を備え、前記役抽選テーブルは、前記特別役及び前記第２再遊技役の重複当選領域、前記第１再遊技役の当選領域、並びに前記特別役と重複当選しない前記第２再遊技役の当選領域を有する第１役抽選テーブルと、前記再遊技役の当選確率が前記第１役抽選テーブルより高く設定された第２役抽選テーブル及び第３役抽選テーブルとを備え、前記リール制御手段は、前記特別役及び前記第２再遊技役に重複当選したときは、前記特別役に対応する図柄の組合せを停止させないようにするとともに、前記第２再遊技役に対応する図柄の組合せを停止させるように制御し、前記第１役抽選テーブルが用いられている遊技中に前記特別役及び前記第２再遊技役に重複当選し、前記第２再遊技役に対応する図柄の組合せが停止したときは、次遊技から、当選した前記特別役を持ち越しつつ前記第２役抽選テーブルを用いるＲＴ遊技に移行し、前記リール制御手段は、前記特別役と重複当選しない前記第２再遊技役に当選したときは、前記第２再遊技役に対応する図柄の組合せを停止させるように制御し、前記第１役抽選テーブルが用いられている遊技中に前記特別役と重複当選しない前記第２再遊技役に当選し、前記第２再遊技役に対応する図柄の組合せが停止したときは、次遊技から、前記第３役抽選テーブルを用いるＲＴ遊技に移行し、前記第２役抽選テーブルを用いるＲＴ遊技は、前記特別役に対応する図柄の組合せが停止することにより終了し、前記第３役抽選テーブルを用いるＲＴ遊技は、予め定められた所定遊技回数を消化することにより終了し、前記第２役抽選テーブルの前記第２再遊技役の当選確率と、前記第３役抽選テーブルの前記第２再遊技役の当選確率とは、異なる確率に設定されており、前記リール制御手段は、前記第２役抽選テーブルを用いるＲＴ遊技で前記第２再遊技役に当選したときは、当選を持ち越している前記特別役に対応する図柄の組合せを停止させないようにするとともに、前記第２再遊技役に対応する図柄の組合せを停止させるように制御することにより、ＲＴ遊技では、前記特別役の当選を持ち越しているか否かによって前記第２再遊技役に対応する図柄の組合せが表示される頻度が異なるようにしたことを特徴とする。
【手続補正３】
【補正対象書類名】明細書
【補正対象項目名】０００９
【補正方法】変更
【補正の内容】
【０００９】
請求項２の発明は、複数種類の図柄を表示した複数のリールと、抽選される役の種類と、各役の当選確率とを定めた役抽選テーブルと、前記役抽選テーブルを用いて役の抽選を行う役抽選手段と、前記役抽選手段による役の抽選結果に基づいて前記リールを停止させるように制御するリール制御手段とを備えるスロットマシンであって、前記役抽選テーブルで抽選される役として、遊技者にとって有利となる特別遊技に移行するための特別役と、遊技者に再遊技を行わせるための再遊技役とを有し、前記再遊技役は、それぞれ図柄の組合せが異なる第１再遊技役、第２再遊技役、及び第３再遊技役を有し、前記役抽選手段で前記特別役に当選したときに、当選した前記特別役に対応する図柄の組合せが停止するまで、その特別役の当選を次遊技以降に持ち越すように制御する特別役当選持越し手段を備え、前記役抽選テーブルは、前記特別役及び前記第２再遊技役の重複当選領域、前記第１再遊技役の当選領域、並びに前記特別役と重複当選しない前記第２再遊技役の当選領域を有する第１役抽選テーブルと、前記再遊技役の当選確率が前記第１役抽選テーブルより高く設定された第２役抽選テーブル及び第３役抽選テーブルとを備え、前記リール制御手段は、前記特別役及び前記第２再遊技役に重複当選したときは、前記特別役に対応する図柄の組合せを停止させないようにするとともに、前記第２再遊技役に対応する図柄の組合せを停止させるように制御し、前記第１役抽選テーブルが用いられている遊技中に前記特別役及び前記第２再遊技役に重複当選し、前記第２再遊技役に対応する図柄の組合せが停止したときは、次遊技から、当選した前記特別役を持ち越しつつ前記第２役抽選テーブルを用いるＲＴ遊技に移行し、前記リール制御手段は、前記特別役と重複当選しない前記第２再遊技役に当選したときは、前記第２再遊技役に対応する図柄の組合せを停止させるように制御し、前記第１役抽選テーブルが用いられている遊技中に前記特別役と重複当選しない前記第２再遊技役に当選し、前記第２再遊技役に対応する図柄の組合せが停止したときは、次遊技から、前記第３役抽選テーブルを用いるＲＴ遊技に移行し、前記第２役抽選テーブルを用いるＲＴ遊技は、前記特別役に対応する図柄の組合せが停止することにより終了し、前記第３役抽選テーブルを用いるＲＴ遊技は、予め定められた所定遊技回数を消化することにより終了し、前記第２役抽選テーブルの前記第３再遊技役の当選確率と、前記第３役抽選テーブルの前記第３再遊技役の当選確率とは、異なる確率に設定されており、前記リール制御手段は、前記第２役抽選テーブルを用いるＲＴ遊技で前記第３再遊技役に当選したときは、当選を持ち越している前記特別役に対応する図柄の組合せを停止させないようにするとともに、前記第３再遊技役に対応する図柄の組合せを停止させるように制御することにより、ＲＴ遊技では、前記特別役の当選を持ち越しているか否かによって前記第３再遊技役に対応する図柄の組合せが表示される頻度が異なるようにしたことを特徴とする。
【手続補正４】
【補正対象書類名】明細書
【補正対象項目名】００１０
【補正方法】変更
【補正の内容】
【００１０】
請求項３の発明は、請求項１又は請求項２に記載のスロットマシンにおいて、前記第２役抽選テーブルを用いるＲＴ遊技では、前記第３役抽選テーブルを用いるＲＴ遊技よりも、前記特別役の当選信頼度が高いことを意味する演出が出力されやすいように制御する演出制御手段を備えることを特徴とする。
【手続補正５】
【補正対象書類名】明細書
【補正対象項目名】００１１
【補正方法】変更
【補正の内容】
【００１１】
請求項４の発明は、請求項１から請求項３までのいずれか１項に記載のスロットマシンにおいて、前記第２役抽選テーブルを用いるＲＴ遊技において、遊技回数が前記所定遊技回数となったことを条件として前記特別役に当選している旨の演出を出力するとともに、前記第３役抽選テーブルを用いるＲＴ遊技において、遊技回数が前記所定遊技回数となったことを条件として前記特別役に当選していない旨の演出を出力するように制御する演出制御手段を備えることを特徴とする。
【手続補正６】
【補正対象書類名】明細書
【補正対象項目名】００１２
【補正方法】変更
【補正の内容】
【００１２】
請求項５の発明は、請求項１から請求項４までのいずれか１項に記載のスロットマシンにおいて、前記特別役は、第１特別役及び第２特別役を有し、前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、前記第１役抽選テーブルは、前記第１特別役及び前記第２再遊技役の重複当選領域、並びに前記第２特別役及び前記第２再遊技役の重複当選領域を有することを特徴とする。
【手続補正７】
【補正対象書類名】明細書
【補正対象項目名】００１３
【補正方法】変更
【補正の内容】
【００１３】
請求項６の発明は、請求項５に記載のスロットマシンにおいて、前記第２役抽選テーブルは、前記第１特別役及び前記第２再遊技役に重複当選したときに次遊技から用いられる第２役抽選テーブルＡと、前記第２特別役及び前記第２再遊技役に重複当選したときに次遊技から用いられる第２役抽選テーブルＢとを有することを特徴とする。
【手続補正８】
【補正対象書類名】明細書
【補正対象項目名】００１４
【補正方法】変更
【補正の内容】
【００１４】
請求項７の発明は、請求項１、又は請求項１を引用する請求項３若しくは請求項４に記載のスロットマシンにおいて、前記特別役は、第１特別役及び第２特別役を有し、前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、前記第１役抽選テーブルは、前記第１特別役及び前記第２再遊技役の重複当選領域、並びに前記第２特別役及び前記第２再遊技役の重複当選領域を有し、前記第２役抽選テーブルは、前記第１特別役及び前記第２再遊技役に重複当選したときに次遊技から用いられる第２役抽選テーブルＡと、前記第２特別役及び前記第２再遊技役に重複当選したときに次遊技から用いられる第２役抽選テーブルＢとを有し、前記第２役抽選テーブルＡの前記第２再遊技役の当選確率と、前記第２役抽選テーブルＢの前記第２再遊技役の当選確率とは、異なるように設定されていることを特徴とする。
請求項８の発明は、請求項２、又は請求項２を引用する請求項３若しくは請求項４に記載のスロットマシンにおいて、前記特別役は、第１特別役及び第２特別役を有し、前記第１特別役に対応する図柄の組合せが停止することにより移行する第１特別遊技において遊技者が受ける利益は、前記第２特別役に対応する図柄の組合せが停止することにより移行する第２特別遊技において遊技者が受ける利益と異なり、前記第１役抽選テーブルは、前記第１特別役及び前記第２再遊技役の重複当選領域、並びに前記第２特別役及び前記第２再遊技役の重複当選領域を有し、前記第２役抽選テーブルは、前記第１特別役及び前記第２再遊技役に重複当選したときに次遊技から用いられる第２役抽選テーブルＡと、前記第２特別役及び前記第２再遊技役に重複当選したときに次遊技から用いられる第２役抽選テーブルＢとを有し、前記第２役抽選テーブルＡの前記第３再遊技役の当選確率と、前記第２役抽選テーブルＢの前記第３再遊技役の当選確率とは、異なるように設定されていることを特徴とする。
請求項９の発明は、請求項３又は請求項４を引用する請求項６、請求項７又は請求項８に記載のスロットマシンにおいて、前記演出制御手段は、ＲＴ遊技中に出力する前記特別役の当選信頼度を示す演出として、前記特別役に当選している可能性が高いことを意味する演出Ａと、前記特別役に当選している可能性が中程度であることを意味する演出Ｂと、前記特別役に当選している可能性が低いことを意味する演出Ｃとを備え、前記第２役抽選テーブルＡを選択時には演出Ａの選択割合が最も高く、前記第２役抽選テーブルＢを選択時には演出Ｂの選択割合が最も高く、前記第３役抽選テーブルを選択時には演出Ｃの選択割合が最も高く設定されていることを特徴とする。
【手続補正９】
【補正対象書類名】明細書
【補正対象項目名】００１５
【補正方法】変更
【補正の内容】
【００１５】
（作用）
上記発明においては、第１役抽選テーブルを用いる遊技では、特別役及び第２再遊技役の重複当選、及び特別役と重複当選しない第２再遊技役の当選が設けられている。そして、特別役及び第２再遊技役に重複当選したとき、並びに特別役と重複当選しない第２再遊技役に当選したときのいずれも、次遊技からＲＴ遊技に移行する。
【手続補正１０】
【補正対象書類名】明細書
【補正対象項目名】００１６
【補正方法】変更
【補正の内容】
【００１６】
さらに、特別役及び第２再遊技役に重複当選したときに移行するＲＴ遊技と、特別役と重複当選しない第２再遊技役に当選したときに移行するＲＴ遊技とで、第２再遊技役に対応する図柄の組合せが表示される頻度が異なる。
【手続補正１１】
【補正対象書類名】明細書
【補正対象項目名】００１７
【補正方法】変更
【補正の内容】
【００１７】
（上記解決手段と実施形態との関係）
以下の実施形態では、第２再遊技役及び第３再遊技役は、レアリプレイに相当し、第１役抽選テーブルは、役抽選テーブル６２Ａに相当する。第２役抽選テーブルを用いる遊技は、レアリプレイの当選確率が１／６又は１／８（Ｘ１）に設定された役抽選テーブル６２Ｂ又は６２Ｃを用いる遊技である。また、第３役抽選テーブルを用いる遊技は、レアリプレイの当選確率が１／１２（Ｘ２）に設定された役抽選テーブル６２Ｄを用いる遊技である。
【手続補正１２】
【補正対象書類名】明細書
【補正対象項目名】００１８
【補正方法】変更
【補正の内容】
【００１８】
また、実施形態では、第３役抽選テーブルを用いる遊技は、予め定められた所定遊技回数である１０遊技を行う。
さらにまた、レアリプレイは、リプレイ（第１再遊技役）に対応する図柄の組合せ（「Ｒ」−「Ｒ」−「Ｒ」）と異なる図柄の組合せ（「Ｒ」−「Ｒ」−「ベル」）に設定されている。
【手続補正１３】
【補正対象書類名】明細書
【補正対象項目名】００２１
【補正方法】変更
【補正の内容】
【００２１】
本発明によれば、第２再遊技役の当選時は、特別役の当選／非当選の有無にかかわらずＲＴ遊技に移行させ、そのＲＴ遊技で第２再遊技役に対応する図柄の組合せが表示される頻度が異なるので、それに基づいて特別役に当選しているか否かを推測することが可能となる。